(57)【特許請求の範囲】
【請求項１】
ＡＰＳ（Automatic Protection Switching; 自動切替保護）として規定された運用系と予備系とを有するＡＴＭ接続装置であって、
相手側ＡＴＭ接続装置から受信した運用系のＡＴＭセルデータからＡＡＬ（ＡＴＭアダプテーションレイヤ）のユーザデータを再生する第一ＡＡＬ組立手段と、
相手側ＡＴＭ接続装置から受信した予備系のＡＴＭセルデータからＡＡＬ（ＡＴＭアダプテーションレイヤ）のユーザデータを再生する第二ＡＡＬ組立手段と、
前記第一ＡＡＬ組立手段により再生された運用系のユーザデータと前記第二ＡＡＬ組立手段により再生された予備系のユーザデータとを比較照合する比較照合手段と、
を有することを特徴とするＡＴＭ接続装置。
【請求項２】
前記比較照合手段は、
運用系および予備系のユーザデータをそれぞれ格納する運用系および予備系データバッファと、
前記運用系および予備系データバッファから同時に読み出されたユーザデータを比較する比較手段と、
を有することを特徴とする請求項１に記載のＡＴＭ接続装置。
【請求項３】
上記比較手段は、前記運用系および予備系データバッファから同時に読み出されたユーザデータを順次比較し、不一致を検出した時にエラー通知を行うことを特徴とする請求項２に記載のＡＴＭ接続装置。
【請求項４】
ＡＰＳ（Automatic Protection Switching; 自動切替保護）として規定された運用系と予備系とを有するＡＴＭ接続装置における障害検出方法であって、
第一ＡＡＬ組立手段が、相手側ＡＴＭ接続装置から受信した運用系のＡＴＭセルデータからＡＡＬ（ＡＴＭアダプテーションレイヤ）のユーザデータを再生し、
第二ＡＡＬ組立手段が、相手側ＡＴＭ接続装置から受信した予備系のＡＴＭセルデータからＡＡＬ（ＡＴＭアダプテーションレイヤ）のユーザデータを再生し、
比較照合手段が、前記第一ＡＡＬ組立手段により再生された運用系のユーザデータと前記第二ＡＡＬ組立手段により再生された予備系のユーザデータとを比較照合することで障害を検出する、
ことを特徴とする障害検出方法。
【請求項５】
前記運用系および予備系のユーザデータをそれぞれ格納した後、同時に読み出されたそれぞれのユーザデータを順次比較し、不一致を検出した時にエラー通知を行うことを特徴とする請求項４に記載の障害検出方法。
【請求項６】
前記運用系で障害あるいは故障が生じていないときに前記不一致が検出されることで、前記予備系の障害を検出することを特徴とする請求項５に記載の障害検出方法。
【請求項７】
ＡＰＳ（Automatic Protection Switching; 自動切替保護）として規定された運用系と予備系とを有するＡＴＭ接続装置が複数の通信装置にそれぞれ設けられた冗長化通信システムであって、
第１通信装置が、通信相手の第２通信装置から受信した運用系のＡＴＭセルデータおよび予備系のＡＴＭセルデータからＡＡＬ（ＡＴＭアダプテーションレイヤ）の運用系ユーザデータおよび予備系ユーザデータをそれぞれ再生する第一ＡＡＬ組立手段および第二ＡＡＬ組立手段と、前記第一ＡＡＬ組立手段により再生された運用系のユーザデータと前記第二ＡＡＬ組立手段により再生された予備系のユーザデータとを比較照合する比較照合手段と、を有する、
ことを特徴とする冗長化通信システム。
【請求項８】
前記比較照合手段は、
運用系および予備系のユーザデータをそれぞれ格納する運用系および予備系データバッファと、
前記運用系および予備系データバッファから同時に読み出されたユーザデータを比較する比較手段と、
を有することを特徴とする請求項７に記載の冗長化通信システム。
【請求項９】
上記比較手段は、前記運用系および予備系データバッファから同時に読み出されたユーザデータを順次比較し、前記運用系で障害あるいは故障が生じていないときに前記不一致が検出されることで、前記予備系の障害を検出することを特徴とする請求項８に記載の冗長化通信システム。
【請求項１０】
ＡＰＳ（Automatic Protection Switching; 自動切替保護）として規定された運用系と予備系とを有するＡＴＭ接続装置のコンピュータに障害検出機能を実現させるプログラムであって、
第一ＡＡＬ組立手段が、相手側ＡＴＭ接続装置から受信した運用系のＡＴＭセルデータからＡＡＬ（ＡＴＭアダプテーションレイヤ）のユーザデータを再生する機能と、
第二ＡＡＬ組立手段が、相手側ＡＴＭ接続装置から受信した予備系のＡＴＭセルデータからＡＡＬ（ＡＴＭアダプテーションレイヤ）のユーザデータを再生する機能と、
比較照合手段が、前記第一ＡＡＬ組立手段により再生された運用系のユーザデータと前記第二ＡＡＬ組立手段により再生された予備系のユーザデータとを比較照合することで障害を検出する機能と、
を前記コンピュータで実現させることを特徴とするプログラム。
【発明の詳細な説明】
【技術分野】
【０００１】
本発明は冗長システムにおけるＡＴＭ接続装置に係り、特にその障害を検出する方法に関する。
【背景技術】
【０００２】
ＳＤＨ／ＳＯＮＥＴシステムでは、フレーム内のオーバヘッドＫ１、Ｋ２バイトを用いて対向装置との間で制御情報を交換することで自動切替えを実施しており、そのＫ１、Ｋ２バイトの導通ルートが正常であればＫ１／Ｋ２の制御論理シーケンスに従った切替えが発動される。両方向モード、１＋１双方向切替え方式では、予備系の受信側装置に選択回路が存在し、どちらか一方の回線（運用系）を選択し、他方（予備系）のペイロード回線データは廃棄される。
【０００３】
ＡＰＳ（Automatic Protection Switching; 自動切替保護）機能を備えた通信システムの回線切り替え方法は例えば特許文献１に開示されており、運用系と予備系のＡＴＭセルを一致させる同期化方法は特許文献２に開示されている。
【先行技術文献】
【特許文献】
【０００４】
【特許文献１】特開平９−１１６５５５号公報
【特許文献２】特開平９−０５５７５２号公報
【発明の概要】
【発明が解決しようとする課題】
【０００５】
しかしながら、予備系回路にて、Ｋ１、Ｋ２バイトの導通ルート以外に故障が内在していた場合に問題が生じる。すなわち、切替え（予備系から運用系に切替え）を実施しない限り、予備系の故障が検出できないという問題点である。Ｋ１、Ｋ２バイトにより対向装置との連携を図り、系の切替を実施するが、予備系に運用系と同様なデータを流さなければ判明できないような故障個所が内在していた場合、その故障を系切り替え以前に検出することが非常に困難である。この状態で運用系故障が発生し、系切り替えを実施した場合、すなわち故障が内在している予備系が運用系となり動作を開始した場合、系切り替えと同時に導通故障が発生する事になり、結果として両系障害となる。
【０００６】
また、回線正常性を確認するＯＡＭ（保守運用）セルも存在するが、運用系ルートによる試験のみであり、予備系ルートによる試験ができない。更には、上位レイヤを含めた試験もできない為、予備系回線上で上位レイヤを制御しているデバイス故障が発生していても事前に検出できない。
【０００７】
そこで、本発明の目的は、予備系に内在する障害をＡＰＳ切替え前に検出することができるＡＴＭ接続装置およびその障害検出方法を提供することにある。
【課題を解決するための手段】
【０００８】
本発明によるＡＴＭ接続装置は、ＡＰＳ（Automatic Protection Switching; 自動切替保護）として規定された運用系と予備系とを有するＡＴＭ接続装置であって、相手側ＡＴＭ接続装置から受信した運用系のＡＴＭセルデータからＡＡＬ（ＡＴＭアダプテーションレイヤ）のユーザデータを再生する第一ＡＡＬ組立手段と、相手側ＡＴＭ接続装置から受信した予備系のＡＴＭセルデータからＡＡＬ（ＡＴＭアダプテーションレイヤ）のユーザデータを再生する第二ＡＡＬ組立手段と、前記第一ＡＡＬ組立手段により再生された運用系のユーザデータと前記第二ＡＡＬ組立手段により再生された予備系のユーザデータとを比較照合する比較照合手段と、を有することを特徴とする。
本発明による障害検出方法は、ＡＰＳ（Automatic Protection Switching; 自動切替保護）として規定された運用系と予備系とを有するＡＴＭ接続装置における障害検出方法であって、第一ＡＡＬ組立手段が、相手側ＡＴＭ接続装置から受信した運用系のＡＴＭセルデータからＡＡＬ（ＡＴＭアダプテーションレイヤ）のユーザデータを再生し、第二ＡＡＬ組立手段が、相手側ＡＴＭ接続装置から受信した予備系のＡＴＭセルデータからＡＡＬ（ＡＴＭアダプテーションレイヤ）のユーザデータを再生し、比較照合手段が、前記第一ＡＡＬ組立手段により再生された運用系のユーザデータと前記第二ＡＡＬ組立手段により再生された予備系のユーザデータとを比較照合することで障害を検出する、ことを特徴とする。
【発明の効果】
【０００９】
本発明によれば、予備系に内在する障害をＡＰＳ切替え前に検出することが可能となる。
【図面の簡単な説明】
【００１０】
【図１】図１は本発明の一実施形態によるＡＴＭ接続装置を用いた冗長化システムの一例を示すブロック図である。
【図２】図２はＣＰＣＳ−ＰＤＵのフォーマット図である。
【図３】図３は通常のＡＰＳ運用時のセル選択論理と本実施形態におけるセル選択論理との相違を説明するための模式図である。
【図４】図４は本実施形態におけるＡＡＬ部の組み立て制御部の動作を説明するための模式図である。
【図５】図５は本実施形態によるＡＴＭ接続装置において下りＡＡＬ運用系３３に故障が発生した状態を示すシステム構成図である。
【図６】図６は本実施形態によるＡＴＭ接続装置において下り運用系から予備系へ切替を実施した状態を示すシステム構成図である。
【図７】図７は本実施形態における比較照合回路の一例を示すブロック図である。
【図８】図８は本実施形態における試験データ照合方法の具体例を示すフローチャートである。
【発明を実施するための形態】
【００１１】
本発明の実施形態によれば、ＡＰＳとして規定されている運用系と予備系に流れている同一ＡＴＭセルデータを上位レベルであるＡＡＬ（ＡＴＭアダプテーションレイヤ）まで組み立てた後、比較照合を行う。これにより、予備系側のデバイス故障や障害を即座に検出することができ、予備系に切り替わったときの障害を未然に防止することが可能となる。以下、本発明の実施形態について図面を参照しながら詳細に説明する。
【００１２】
１．システム構成
図１を参照すると、本実施形態によるＡＴＭ接続装置を有する制御装置１と対向装置３との間において、上りデータおよび下りデータがそれぞれ冗長化されて伝送される。ここでは制御装置１が上位装置であり、対向装置３がその下位装置である。それぞれの装置内では、下りデータおよび上りデータの導通ルートは完全冗長を取る様に構成されている。なお、図１では、説明を複雑化しないために系交絡が生じていないものとする。
【００１３】
下りＡＡＬ運用系１１、及び、下りＡＡＬ予備系１４は、ＡＡＬレイヤよりも上位のユーザプレーンデータを４つのサービスクラス（クラスＡ、Ｂ、Ｃ、Ｄ）に基づき、ＳＡＲヘッダやＳＡＲトレイラを挿入し、ＰＤＵフレームを生成する部位である。生成したＰＤＵフレームは、次段の下りＳＷ運用系１２、及び、下りＳＷ予備系１５に送信される。
【００１４】
下りＳＷ運用系１２、及び、下りＳＷ予備系１５では、運転形式に従った選択制御を実施し、次段の下りＡＴＭ運用系１３や下りＡＴＭ予備系１６に選択送信を行う。図１では、系交絡を生じていない例を示しており、下りＳＷ運用系１２から下りＡＴＭ運用系１３へ信号が伝達され、また、下りＳＷ予備系１５から下りＡＴＭ予備系１６へ信号が伝達される。
【００１５】
下りＳＷ運用系１２と下りＳＷ予備系１５の間の信号路にはデータは送受信されない。
【００１６】
下りＡＴＭ運用系１３、及び、下りＡＴＭ予備系１６は、ＡＴＭレイヤの制御を実施し、回線側に信号を送信する。ＡＴＭレイヤでは、受信したＡＡＬ−ＰＤＵフレームを４８バイトのセルに分割し、ＡＴＭヘッダ５バイトを付与して回線へ送信される。
【００１７】
下りＡＴＭ運用系３１、及び、下りＡＴＭ予備系３４は、回線側からＡＴＭセルを受信し、セル同期を実施した後、ＡＴＭヘッダ内に挿入されているＨＥＣ（ヘッダ誤り制御）のチェック、ＶＰＩ／ＶＣＩ翻訳制御等を実施する。受信したＡＴＭセルは、次段である下り選択回路運用系３２や下り選択回路予備系３５に送信される。ＡＰＳでは、運用系の回線と予備系の回線には、同一のデータを流し、受信側にて運用系側のデータを有効とするよう規定している。図１の下り選択回路３２では、受信データを有効とし次段の下りＡＡＬ運用系３３にデータを引き渡す。従来のＡＰＳでは、運用系のデータが有効であり、もう片方の下り選択回路予備系３５では、受信データを選択廃棄する。
【００１８】
下りＡＡＬ運用系３３は、ＡＴＭセル組立を実施すると共にフロー制御やＳＡＲヘッダ、ＳＡＲトレイラの誤り訂正を実施する。またＳＡＲヘッダやＳＡＲトレイラを除去し、ユーザプレーンデータを再生する。
【００１９】
本実施形態では、下り選択回路予備系３５では、ＡＴＭセルを選択廃棄することなく、次段の下りＡＡＬ予備系３６へＡＡＬデータを送信する。運用系と同様、下りＡＡＬＭ予備系３６では、ＡＴＭセル組立を実施する。ＡＰＳの特性上、下りＡＡＬ運用系３３で再生されたユーザデータと、下りＡＡＬ予備系３６で再生されたユーザデータとは、同一データが流れる規定となっている。試験データ照合回路３７では、運用系で通信されているデータと予備系で再生されたデータとの比較照合を行い、予備系側で故障が発生しているのかどうかを確認する。
【００２０】
上り側の制御データについて下り側と同様である。すなわち、上りＡＡＬ運用系４０、及び、上りＡＡＬ予備系４３は、ＡＡＬレイヤよりも上位のユーザプレーンデータを４つのサービスクラス（クラスＡ、Ｂ、Ｃ、Ｄ）に基づき、ＳＡＲヘッダやＳＡＲトレイラを挿入し、ＰＤＵフレームを生成する部位である。生成したＰＤＵフレームは、次段の上りＳＷ運用系３９、及び、上りＳＷ予備系４２に送信される。
【００２１】
上りＳＷ運用系３９、及び、上りＳＷ予備系４２では、運転形式に従った選択制御を実施し、次段の上りＡＴＭ運用系３８や上りＡＴＭ予備系４１に選択送信を行う。図１では、系交絡を生じていない例を示しており、上りＳＷ運用系３９から上りＡＴＭ運用系３８へ信号が伝達され、又、上りＳＷ予備系４２から上りＡＴＭ予備系４１へ信号が伝達される。
【００２２】
上りＳＷ運用系３９と上りＳＷ予備系４２の間の信号路にはデータは送受信されない。
上りＡＴＭ運用系１９、及び、上りＡＴＭ予備系２２は、ＡＴＭレイヤの制御を実施し、回線側に信号を送信する。ＡＴＭレイヤでは、受信したＡＡＬ−ＰＤＵフレームを４８バイトのセルに分割し、ＡＴＭヘッダ５バイトを付与して回線へ送信される。
【００２３】
上りＡＴＭ運用系１９、及び、上りＡＴＭ予備系２２は、回線側からＡＴＭセルを受信し、セル同期を実施した後、ＡＴＭヘッダ内に挿入されているＨＥＣ（ヘッダ誤り制御）のチェック、ＶＰＩ／ＶＣＩ翻訳制御等を実施する。受信したＡＴＭセルは、次段である上り選択回路運用系１８や上り選択回路予備系２１に送信される。ＡＰＳでは、運用系の回線と予備系の回線には、同一のデータを流し、受信側にて運用系側のデータを有効とするよう規定している。図１の上り選択回路１８では、受信データを有効とし次段の上りＡＡＬ運用系１７にデータを引き渡す。従来のＡＰＳでは、運用系のデータが有効であり、もう片方の上り選択回路予備系２１では、受信データを選択廃棄する。
【００２４】
上りＡＡＬ運用系１７は、ＡＴＭセル組立を実施すると共にフロー制御やＳＡＲヘッダ、ＳＡＲトレイラの誤り訂正を実施する。又、ＳＡＲヘッダやＳＡＲトレイラを除去し、ユーザプレーンデータを再生する。
【００２５】
本発明の実施例では、上り選択回路予備系２１では、ＡＴＭセルを選択廃棄することなく、次段の上りＡＡＬ予備系２０へＡＡＬデータを送信する。運用系と同様、上りＡＡＬ予備系２０では、ＡＴＭセル組立を実施する。ＡＰＳの特性上、上りＡＡＬ運用系１７で再生されたユーザデータと、上りＡＡＬ予備系２０で再生されたユーザデータとは、同一データが流れる規定となっている。試験データ照合回路２３では、運用系で通信されているデータと予備系で再生されたデータとの比較照合を行い、予備系側で故障が発生しているのかどうかを確認する。
【００２６】
２．動作
まず、図２を参照して、ＡＡＬ受信部（図１の３３、３６、１７、２０に該当）におけるＡＴＭセル組立制御を、ＡＡＬ５方式の例を用いて説明する。ＡＡＬ受信部では、ＡＴＭセルは５３バイトのデータで構成され、先頭５バイトは、ＶＰＩ、ＶＣＩなどの仮想コネクションにより分割された、ＳＡＲ−ＰＤＵデータの送受信のために使用される。ＡＡＬ受信部では、ＶＰＩ、ＶＣＩの複数コネクションに対応してＳＡＲ−ＰＤＵを蓄積し、組立処理を実施する。組み立てられたＣＰＣＳ−ＰＤＵは、ＡＡＬ５フレームデータとして上位アプリケーションで用いられることになる。ＣＰＣＳ−ＰＤＵは、ＣＰＣＳ−ＰＤＵペイロード、ＰＡＤ、ＣＰＣＳ-ＵＵ、ＣＰＩ、ＬＩ、ＣＲＣにより構成される。
【００２７】
・ＣＰＣＳ−ＰＤＵ：上位アプリケーションで用いられる有効データ
・ＰＡＤ：ＣＰＣＳ−ＰＤＵペイロードと合わせて４バイトの整数倍になるような挿入バイト
・ＣＰＣＳ-ＵＵ：ユーザ情報表示
・ＣＰＩ：共通部表示    
・ＬＩ：ＣＰＣＳ−ＰＤＵペイロードのレングス
・ＣＲＣ：巡回冗長検査（ＣＲＣ-３２）
【００２８】
図３（Ａ）に示すように、通常の選択回路予備系のセル選択論理では、予備系側は受信したＡＴＭセルを廃棄し、次段のＡＡＬ部へＡＴＭセルの転送を行わない。
これに対して、本実施形態によれば、図３（Ｂ）に示すように、運用系、予備系に関わらず、受信したＡＴＭセルを次段のＡＡＬ部へデータ転送を行う。すなわち、ＡＡＬ予備系では、本来、休止されているＡＡＬ部へのコネクション単位毎の動作を運用系と同様に実施する。そして、両系の受信データを比較照合することにより、ＡＡＬ部メモリ等の故障を早期に検出することが可能となり、その結果として、系切替後の両系障害を未然に防止することができる。
【００２９】
さらに、図４を用いて、ＡＡＬ部の組み立て制御部の動作について説明する。ＡＡＬ部２では、外部に受信ＡＴＭデータのＰＤＵを蓄積するためのデータメモリ部１０１、ＣＰＣＳ-ＰＤＵデータの組み立てを実現するための制御メモリ部１０３を有する。データ組立は、ＡＴＭセル１０４としてＡＡＬ部１０２に受信され、各コネクション毎にセル組立を行った後、ＣＰＳ−ＰＤＵ１０５として上位アプリケーション部へ転送される。
【００３０】
次にＡＴＭセルの組み立て原理を説明する。ＡＴＭセル１０４内部にはＡＴＭヘッダが付与されており、ＡＴＭヘッダ内にあるＶＰＩ/ＶＣＩに仮想コネクション値が格納されている。図４の最初に受信されているＡＴＭセルではＶＰＩ＝０、ＶＣＩ＝２の値のＡＴＭセルが受信された様子を示している。ＡＡＬ部１０２では、受信されたＡＴＭセルヘッダから制御メモリ１０３内にあらかじめ設定されている値を参照する。制御メモリでは、ＶＰＩ=０、ＶＣＩ＝２ではConnection ２のデータメモリの格納場所、及び、何番目までセルが受信されており次にセルを格納すべきデータメモリ上の位置を示している。従がって、ＡＡＬ部１０２では受信したＡＴＭセルヘッダ内の値を元に、制御メモリに問い合わせを行い、結果、データメモリ上の該当コネクションの場所へデータを一時格納する。図４では最初のＡＴＭセル受信ヘッダ内のＶＰＩ、ＶＣＩの値を元に制御メモリに問い合わせを行い、connection２の３番目の位置へ受信データを格納している様子を示している。同様に２番目に受信されたＡＴＭセル（ＶＰＩ＝ｌ、ＶＣＩ＝ｍ）は、制御メモリの問い合わせを実施した結果としてConnection Ｎの２番目へデータを格納している様子を示している。
【００３１】
３．具体例
図５は、下りＡＡＬ運用系３３に故障が発生し、下りＡＡＬ予備系３６に故障が内在している状態を示す。故障が内在している状態とは、図４のＡＡＬ部のデータ格納メモリ部１０１、ＡＡＬ部１０２、制御メモリ部１０３のいずれかに、通常動作を実施しなければ検出できない故障状態が存在している状態をいう。
【００３２】
図６において、図５に示すように予備系に故障が内在している状態で、実際に故障が運用系（下りＡＡＬ運用系）に発生すると、ＡＰＳ動作に従って上位制御装置１と対向装置３の運転系および予備系の全てが切替を実施する。しかしながら、切替が実施されたものの、新たに運転系となった下りＡＡＬ運転系には故障が内在している。切替により下りＡＡＬ３３は予備系となり、その故障部が交換される。しかしながら、新たに運用系となった下りＡＡＬ運用系３６には故障が内在しているので、故障交換を実施している間に、運用動作を行うことで、再度故障検出され、全体システムとしては冗長回線共々障害に陥り、最悪の場合、両系障害に陥る。本実施形態は、このような事態になる前に、予備系に内在する故障を検出することを可能にする。
【００３３】
４．障害検出
本実施形態において、両系障害を未然に防ぐために試験データ照合回路（図１の２３、３７）が配備されている。
【００３４】
図７に示すように、バッファライト回路２０２およびバッファライト回路２０３は、運用系および予備系から受信するＣＰＣＳ−ＰＤＵをそれぞれのデータバッファメモリ（運用系データバッファ２０１および予備系データバッファ２０４）に書き込む回路である。
【００３５】
マクロ的視点では、ＡＴＭの両系回線に同一のデータが流れているとはいえ、ミクロ的視点では、各デバイス特性による遅延などにより、同一タイミングで受信されるわけではない。そこで比較実施のために遅延要因をなくすためにそれぞれの系のデータバッファにＣＰＣＳ−ＰＤＵを格納する。
【００３６】
次に比較回路２０６は、受信完了を持ってそれぞれの系からデータを同時に読み出すように、運用系バッファリード回路２０５、及び、予備系バッファリード回路２０７に読み出し起動を行う。比較回路２０６は、同時に読み出されたデータの運用系を元データとして予備系側のデータを順次比較していく。比較した結果、不一致が発生した場合、エラー通知を行う。但し、この状態では運用系ＡＡＬ部か予備系ＡＡＬ部のどちらに故障があるのか判別できない。運用系アプリケーションにて障害が頻発し、比較回路２０６にて運用系側不一致が発生している場合は運用系側障害と判断できる。また、運用系アプリケーションにて障害が発生せずに、比較回路２０６にて予備系側不一致が発生している場合は、予備系側に障害が内在している事が判別可能である。なお、このような試験データ照合回路は、ＡＴＭ接続装置のコンピュータ上でプログラムを実行することにより同等の機能を実現することもできる。
【００３７】
次に、図８を参照して、試験データ照合回路の動作シーケンスを説明する。運用系、予備系とも同一のデータは流れているが、上述したように、実際の回路実現においては若干の時間的な遅延誤差を含む。したがって、比較照合を行う場合、運用系、予備系のデータ受信完了を監視した上で時間的な誤差を吸収するためにメモリを用いる。図８では、運用系のバッファライトをまって予備系側のバッファライト完了を監視し、完了とともに予備系からの完了通知、すなわち到達確認を受信する。両系においてバッファライトが完了したら両系のバッファリードを開始し、データを順次比較する。ＡＴＭ回線では、一定のセルロスやビットエラーを許容していることから、データ比較チェックの後に保護段数回路を配置し、一定期間や回数による障害通知保護を実施した後、予備系故障と判定する。
【００３８】
５．効果
以上説明したように、本実施形態によれば、ＡＰＳ（自動切替え保護）機能を有した予備系の制御装置および対向装置が運用系に流れているＡＴＭセル、ＡＡＬパケットを廃棄することなく照合することで、ＡＰＳ切替え前に予備系回線の故障を検出することが可能となる。実際に運用系に導通しているＡＴＭセルを予備系でも流すことにより、予備系のＡＴＭ制御回路、ＡＡＬ制御回路およびそれらに付随するデータメモリ、制御メモリを実際に動作させ、試験網羅率（箇所）を上げることが可能となる  
【００３９】
上記の説明および添付図面の記載に基づいて、当業者は本発明の多くの変形例および他の実施形態に想到し得るであろう。したがって、本発明は、開示した具体的実施形態に限定されるものではなく、変形例および他の実施形態も、添付の特許請求の範囲内に含まれるものと解すべきである。本明細書では特定の用語を用いているが、それらは総称的・説明的意味でのみ用いられており、限定を目的としたものではない。
【産業上の利用可能性】
【００４０】
本発明はＡＰＳ機能を有するＡＴＭ通信システムの各通信装置に適用可能である。
【符号の説明】
【００４１】
１  制御装置
３  対向装置
１７  上りＡＡＬ運用系
２０  上りＡＡＬ予備系
２３  試験データ照合回路
３３  下りＡＡＬ運用系
３６  下りＡＡＬ予備系
３７  試験データ照合回路
２０１  運用系データバッファ
２０２  バッファライト回路
２０３  バッファライト回路
２０４  予備系データバッファ
２０５  バッファリード回路
２０６  バッファリード回路
２０７  比較回路
【図１】
0005900958.tif 000002
【図２】
0005900958.tif 000003
【図３】
0005900958.tif 000004
【図４】
0005900958.tif 000005
【図５】
0005900958.tif 000006
【図６】
0005900958.tif 000007
【図７】
0005900958.tif 000008
【図８】
0005900958.tif 000009